【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
バイパス経路損失を低減した電子装置であって、
少なくとも２つの投を有する第１のスイッチと、
少なくとも２つの投を有する第２のスイッチと、
前記第１のスイッチおよび前記第２のスイッチを電気的に接続するバイパス経路とを備え、前記バイパス経路は、前記第１のスイッチと前記第２のスイッチとの間に直列に結合された直列インダクタを含み、前記直列インダクタは前記バイパス経路の伝送線路のキャパシタンスを補償するように構成され、前記電子装置は、さらに、
低雑音増幅器を含む受信経路を備え、前記受信経路と前記バイパス経路とは前記第１のスイッチの異なる投に結合され、前記受信経路と前記バイパス経路とは前記第２のスイッチの異なる投に結合され、さらに、
前記バイパス経路に接続されていない、前記第１のスイッチの少なくとも１つの投に関連するオフ状態キャパシタンスを補償して前記バイパス経路の挿入損失を減少させるように構成された少なくとも１つのインダクタとを備える、電子装置。
【請求項２】
前記少なくとも１つのインダクタは、前記バイパス経路に関連する前記第１のスイッチの投のオフ状態シャントキャパシタンスを補償するように構成される、請求項１に記載の電子装置。
【請求項３】
前記第１のスイッチは、前記少なくとも１つのインダクタと前記バイパス経路との間に結合される、請求項１に記載の電子装置。
【請求項４】
前記少なくとも１つのインダクタは、前記バイパス経路に接続されていない、前記第２のスイッチの投のオフ状態キャパシタンスを補償するように構成された別のインダクタを含む、請求項１に記載の電子装置。
【請求項５】
前記第１のスイッチは、ダイバーシティアンテナから無線周波数信号を受信するように構成される、請求項１に記載の電子装置。
【請求項６】
前記バイパス経路は、無線周波数信号を、増幅させることなく、かつ、フィルタリングすることなく、前記第１のスイッチから前記第２のスイッチへ供給する、請求項１に記載の電子装置。
【請求項７】
前記受信経路は、前記第１のスイッチと前記低雑音増幅器との間に結合されたバンドパスフィルタを含む、請求項１に記載の電子装置。
【請求項８】
前記第１のスイッチは、第１の状態において、アンテナポートを前記バイパス経路に電気的に接続し、前記アンテナポートを前記受信経路から電気的に分離するように構成され、前記第１のスイッチは、第２の状態において、前記アンテナポートを前記受信経路に電気的に接続し、前記アンテナポートを前記バイパス経路から電気的に分離するように構成される、請求項１に記載の電子装置。
【請求項９】
ダイバーシティモジュールを備え、前記ダイバーシティモジュールは、前記第１のスイッチと、前記第２のスイッチと、前記バイパス経路とを少なくとも含む、請求項１に記載の電子装置。
【請求項１０】
複数のアンテナをさらに備え、前記複数のアンテナは、前記ダイバーシティモジュールの前記第１のスイッチと通信するダイバーシティアンテナを含む、請求項９に記載の電子装置。
【請求項１１】
前記第２のスイッチと通信するアンテナスイッチモジュールをさらに備える、請求項１０に記載の電子装置。
【請求項１２】
無線周波数モジュールであって、
少なくとも２つの投を有する第１の多投スイッチと、
少なくとも２つの投を有する第２の多投スイッチと、
前記第１の多投スイッチと前記第２の多投スイッチとの間に電気的に結合された無線周波数信号経路とを備え、前記無線周波数信号経路は、無線周波数信号を処理するように構成され、前記無線周波数信号経路は、フィルタと低雑音増幅器とを含み、前記無線周波数モジュールはさらに、
前記第１の多投スイッチと前記第２の多投スイッチとの間に電気的に結合されたバイパス経路を備え、前記バイパス経路は、前記第１の多投スイッチと前記第２の多投スイッチとの間の伝送線路として構成され、前記バイパス経路は、前記第１の多投スイッチと前記第２の多投スイッチとの間に直列に結合された直列インダクタを含み、前記直列インダクタは前記伝送線路の寄生キャパシタンスを補償して前記バイパス経路に関連する挿入損失を減少させるように構成され、さらに、
前記バイパス経路に結合されていない前記第１の多投スイッチの少なくとも１つの投のオフ状態キャパシタンスを補償して前記バイパス経路に関連する挿入損失を減少させるように構成されたインダクタとを備える、無線周波数モジュール。
【請求項１３】
前記バイパス経路に結合されていない前記第２の多投スイッチの少なくとも１つの投のオフ状態キャパシタンスを補償して前記バイパス経路に関連する挿入損失を減少させるように構成された別のインダクタをさらに備える、請求項１２に記載の無線周波数モジュール。
【請求項１４】
前記無線周波数モジュールは、ダイバーシティアンテナから無線周波数信号を受信するように配置されたダイバーシティモジュールとして構成される、請求項１２に記載の無線周波数モジュール。
【請求項１５】
前記インダクタは、調節可能なインダクタンスを有する、請求項１２に記載の無線周波数モジュール。
【請求項１６】
前記第１の多投スイッチは、少なくとも３つの投を有し、前記第１の多投スイッチの前記オフ状態キャパシタンスは、前記第１の多投スイッチの前記少なくとも３つの投のうちの２以上の投に関連する、請求項１２に記載の無線周波数モジュール。
【請求項１７】
前記第１の多投スイッチと前記第２の多投スイッチとの間に受信経路をさらに備え、前記受信経路は、前記無線周波数信号経路を含み、前記第１の多投スイッチは、第１の状態において、アンテナポートを前記バイパス経路に電気的に接続し、前記アンテナポートを前記受信経路から電気的に分離するように構成され、前記第１の多投スイッチは、第２の状態において、前記アンテナポートを前記受信経路のうちの選択された受信経路に電気的に接続し、前記バイパス経路を前記アンテナポートおよび前記受信経路の他の受信経路から電気的に分離するように構成される、請求項１２に記載の無線周波数モジュール。
【請求項１８】
前記インダクタは、前記第１の多投スイッチの全ての状態において、前記第１の多投スイッチの前記少なくとも２つの投のうちの少なくとも１つの投の直列素子に電気的に結合される、請求項１２に記載の無線周波数モジュール。
【請求項１９】
前記インダクタは、前記第１の多投スイッチに電気的に接続される第１の端部と、グランドに電気的に接続される第２の端部とを有する、請求項１２に記載の無線周波数モジュール。
【請求項２０】
前記第１の多投スイッチと前記第２の多投スイッチとの間に結合された第２の無線周波数信号経路をさらに備え、前記第２の無線周波数信号経路は、第２のフィルタと第２の低雑音増幅器とを含み、前記第２のフィルタは、前記フィルタと異なる通過帯域を有するバンドパスフィルタである、請求項１２に記載の無線周波数モジュール。
【請求項２１】
バイパス経路に関連する挿入損失を減少させるための電子的に実行される方法であって、
少なくとも２つの投を有する第１のスイッチを少なくとも２つの投を有する第２のスイッチに電気的に接続するバイパス経路によってダイバーシティモジュールの入力が前記ダイバーシティモジュールの出力に結合されるように前記ダイバーシティモジュールをバイパスモードで動作させるステップを備え、前記ダイバーシティモジュールは、モバイル装置のダイバーシティアンテナからの無線周波数信号を受信するように構成され、さらに、
前記ダイバーシティモジュールを前記バイパスモードで動作させている間に、前記バイパスモードに関連する挿入損失を減少させるために、前記第１のスイッチと前記第２のスイッチとの間の前記バイパス経路に直列に結合されたインダクタを用いて、前記バイパス経路の伝送線路に関連するキャパシタンスを実質的にキャンセルするステップを備える、電子的に実行される方法。
【請求項２２】
前記ダイバーシティモジュールを前記バイパスモードで動作させている間に、前記第１のスイッチのオフ状態に関連するキャパシタンスを実質的にキャンセルするステップをさらに備える、請求項２１に記載の電子的に実行される方法。
【請求項２３】
前記第１のスイッチのオフ状態キャパシタンスは、前記バイパス経路に接続されていない前記第１のスイッチの投に関連するオフ状態直列キャパシタンスを含む、請求項２２に記載の電子的に実行される方法。
【手続補正２】
【補正対象書類名】明細書
【補正対象項目名】００３２
【補正方法】変更
【補正の内容】
【００３２】
本開示は、例示の目的で無線装置のダイバーシティモジュールにおける例を説明し得るが、本明細書に記載されている原理および利点は、他の好適な適用例にも適用可能である。さらに、本開示の特徴は、例示の目的でＲＦ信号の受信を参照して説明され得るが、本明細書に記載されている原理および利点のうちのいずれも、ＲＦ信号を送信するように構成された回路、ＲＦ信号を受信するように構成された回路ならびに／またはＲＦ信号を送信も受信もするように構成された回路に関連付けて適用可能である。例えば、本明細書に記載されている原理および利点は、２つの多投スイッチの間に電気的に結合されたバイパス経路があり、また、当該２つの多投スイッチの間に電気的に結合された無線周波数信号経路があり、当該無線周波数信号経路は、無線周波数信号を処理して受信または送信し得るいかなる文脈にも適用可能である。
【手続補正３】
【補正対象書類名】明細書
【補正対象項目名】００４９
【補正方法】変更
【補正の内容】
【００４９】
図２Ａは、別の実施形態に係るダイバーシティモジュール２００の概略ブロック図である。図２Ａのダイバーシティモジュール２００は、第１のインダクタＬ１および第３のインダクタＬ３が異なるノードでバイパス経路１３０に結合されている以外は、図１のダイバーシティモジュール１００と実質的に同一である。したがって、第１のインダクタＬ１および第３のインダクタＬ３が結合されるノード以外は、ダイバーシティモジュール２００は、図１で説明された原理および利点のいずれも実現可能である。１つの非限定的な例として、図２Ａに示されているスイッチ１１０および１２０は、図１を参照して記載された特徴の任意の組合わせを実現可能である。図２Ａの第１のインダクタＬ１は、図１に示されている実施形態に対して第１のスイッチ１１０の反対側に結合され、図２Ａの第３のインダクタＬ３は、図１に示されている実施形態に対して第２のスイッチ１２０の反対側に結合されている。図２Ａの第１のインダクタＬ１および第３のインダクタＬ３は、図２Ａのダイバーシティモジュール２００の一部である。示されているダイバーシティモジュール２００では、第１のスイッチ１１０は、第１のインダクタＬ１とバイパス経路１３０との間に結合されている。第１のインダクタＬ１のインダクタンスは、ダイバーシティモジュール１００におけるバイパス経路１３０に対してのみ実質的に影響を及ぼす第１のインダクタＬ１のインダクタンスとは対照的に、ダイバーシティモジュール２００におけるバイパス経路１３０および受信経路１３５の両方に影響を及ぼし得る。さらに、示されているダイバーシティモジュール２００では、第２のスイッチ１２０は、バイパス経路１３０と第３のインダクタＬ３との間に結合されている。第３のインダクタＬ３のインダクタンスは、ダイバーシティモジュール１００におけるバイパス経路１３０に対してのみ実質的に影響を及ぼす第３のインダクタＬ３のインダクタンスとは対照的に、ダイバーシティモジュール２００におけるバイパス経路１３０および受信経路１３５の両方に影響を及ぼし得る。
【手続補正４】
【補正対象書類名】明細書
【補正対象項目名】００５１
【補正方法】変更
【補正の内容】
【００５１】
他の実施形態によれば、図１の第１のインダクタＬ１も図２Ａの第１のインダクタＬ１も、これらのインダクタが第１のスイッチ１１０のオフ状態キャパシタンスを実質的にキャンセルする正味の効果を有するようにともに実現可能である。代替的にまたはさらに、図１の第３のインダクタＬ３も図２Ａの第３のインダクタＬ３も、これらのインダクタが第２のスイッチ１２０のオフ状態キャパシタンスを実質的にキャンセルする正味の効果を有するようにともに実現可能である。
【手続補正５】
【補正対象書類名】明細書
【補正対象項目名】００５８
【補正方法】変更
【補正の内容】
【００５８】
図２Ｃは、別の実施形態に係るダイバーシティモジュール２００″の概略ブロック図である。ダイバーシティモジュール２００″は、ダイバーシティモジュール２００を参照して記載された原理および利点のうちのいずれかならびに／またはダイバーシティモジュール１００および／もしくはダイバーシティモジュール２００′を参照して記載された特徴の任意の好適な組合わせを実現可能である。図２Ｃのダイバーシティモジュール２００″は、第１のインダクタＬ１および第３のインダクタＬ３が図２Ａに示されているシャントインダクタの代わりに図２Ｃにおける直列インダクタとして配置されている以外は、図２Ａのダイバーシティモジュール２００と実質的に同一である。図２Ｃでは、第１のインダクタＬ１は、アンテナポートと第１のスイッチ１１０との間に直列に配設されている。同様に、図２Ｃでは、第３のインダクタＬ３は、第２のスイッチ１２０と受信ポートとの間に直列に配設されている。図２Ｃにおける第１のインダクタＬ１のインダクタンスは、第１のスイッチ１１０のオフ状態キャパシタンスを実質的にキャンセルするように選択され得る。図２Ｃの第３のインダクタＬ３のインダクタンスは、第１のスイッチ１２０のオフ状態キャパシタンスを実質的にキャンセルするように選択され得る。
【手続補正６】
【補正対象書類名】明細書
【補正対象項目名】００６０
【補正方法】変更
【補正の内容】
【００６０】
図３は、アンテナポートが第１のスイッチ１１０によってバイパス経路１３０に電気的に接続され、第１のスイッチ１１０がアンテナポートを受信経路１３５から電気的に分離する第１の状態について、示されている寄生成分を有する図２Ａのダイバーシティモジュール２００の概略図である。当該第１の状態は、ダイバーシティモジュール２００のバイパスモードに対応し得る。図３に示されるように、第１の状態では、第１のスイッチ１１０は、バイパス経路１３０に接続されていない投の各々についてＣＯＦＦ１＿ＳＥＲＩＥＳという直列キャパシタンスを有し得る。第１のスイッチ１１０のオフ状態キャパシタンスは、直列キャパシタンスＣＯＦＦ１＿ＳＥＲＩＥＳを含んでいる。また、第１の状態では、第１のスイッチ１１０は、バイパス経路１３０に接続されていない投の各々についてシャント抵抗ＲＯＮ１＿ＳＨＵＮＴを有し得る。示されている第１のスイッチ１１０では、第１の状態において３つのこのような直列キャパシタンスＣＯＦＦ１＿ＳＥＲＩＥＳおよび３つのシャント抵抗ＲＯＮ１＿ＳＨＵＮＴが存在する。